(57)【特許請求の範囲】
【請求項１】
一端に閉部を有し他端に開口部を有する筒状の採血管挿入部と、前記閉部に装着された注射針とを備える採血管外筒に接続される筒状のアダプタであって、
前記アダプタの筒状の壁部の内側に形成された空間を介して前記採血管挿入部に挿入される採血管に備えられたＩＣタグに対して情報の送受信を行うためのアンテナを前記筒状の壁部に備え、
前記筒状の壁部の内壁に前記採血管外筒の前記開口部の周囲または前記開口部近傍に形成されたフランジと係合する係合部を有することを特徴とするアダプタ。
【請求項２】
前記アンテナが前記筒状の壁部に埋め込まれていることを特徴とする請求項１記載のアダプタ。
【請求項３】
一端が閉じ他端に開口部を有する筒状の収容部と、前記収容部を減圧した状態で前記開口部を閉じる蓋部と、ＩＣタグとを備える採血管と、
一端に閉部を有し他端に開口部を有する筒状の採血管挿入部と、前記閉部に装着された注射針とを備える採血管外筒と、
前記ＩＣタグに対して情報の送受信を行うためのアンテナを筒状の壁部に有し、前記筒状の壁部の内壁に前記採血管外筒の前記開口部の周囲または前記開口部近傍に形成されたフランジと係合する係合部を有し、前記採血管外筒に接続されるアダプタと、
前記アダプタが接続された前記採血管外筒の前記採血管挿入部に前記アダプタの前記筒状の壁部の内側に形成された空間を介して前記採血管が挿入された際に、前記アダプタの前記筒状の壁部に備えられた前記アンテナから前記採血管に備えられた前記ＩＣタグに対して情報を送信し、前記ＩＣタグに書き込むＩＣタグライタを備え、
前記注射針の前記採血管挿入部側の端部を前記採血管の蓋部に貫通させることにより血液を採取することを特徴とする採血システム。
【請求項４】
バーコードに記録されている情報を読み取るバーコードリーダを備え、
前記アダプタが接続された前記採血管外筒の採血管挿入部に前記アダプタの筒状の壁部の内側に形成された空間を介して前記採血管が挿入された際に、前記バーコードリーダにより読み取られた情報を、前記アダプタの前記筒状の壁部に備えられた前記アンテナを介して前記採血管に備えられた前記ＩＣタグに書き込むことを特徴とする請求項３記載の採血システム。
【請求項５】
血液を採取した各機関において用いられている識別情報を、前記血液の検査を依頼された検査機関において用いられる検査機関用識別情報に変換するための変換パターンを記憶する変換パターンテーブルと、
前記変換パターンテーブルを参照して、前記バーコードリーダにより読み取られた前記識別情報を前記検査機関用識別情報に変換する識別情報変換手段と
を更に備え、 
前記ＩＣタグライタは、前記識別情報変換手段により変換された前記検査機関用識別情報を前記アダプタの前記筒状の壁部に備えられた前記アンテナを介して前記採血管に備えられたＩＣタグに書き込むことを特徴とする請求項４記載の採血システム。
【請求項６】
前記ＩＣタグは、前記収容部に収容される血液の性状に影響を与えることがない素材によりコーティングされていることを特徴とする請求項３〜請求項５の何れか一項に記載の採血システム。
【請求項７】
前記素材は、前記収容部を形成する素材と同一の素材であることを特徴とする請求項６記載の採血システム。
【請求項８】
前記アンテナは、前記アダプタの前記筒状の壁部に埋め込まれていることを特徴とする請求項３〜請求項７の何れか一項に記載の採血システム。
【発明の詳細な説明】
【技術分野】
【０００１】
本発明は、血液を採取する際に用いられる採血管外筒に取付けるアダプタ、及び該アダプタを採血管外筒に取付けて血液を採取する採血システムに関するものである。
【背景技術】
【０００２】
従来、医療機関においては、患者から採取された血液を試験管等の容器に収容し、検査内容を記載した検査依頼書と共に検査を行う検査機関に搬送していた。そして、検査機関においては、検査依頼書に記載されている検査内容に基づいて検査を行っていた。
【０００３】
ここで、医療機関においては、血液がどの患者から採取されたものであるかを識別するため、患者の氏名や、患者毎に付与されている患者ＩＤ等を血液を収容した容器に付していた。例えば、患者の氏名や、患者毎に付与されている患者ＩＤを容器に直接記載したり、又は、患者の氏名等を記載したラベルを容器に貼り付けていた（例えば、特許文献１参照）。
【先行技術文献】
【特許文献】
【０００４】
【特許文献１】特開２００１−２７２９１６号公報
【発明の概要】
【発明が解決しようとする課題】
【０００５】
ところで、血液を採取した後に、採取された血液を収容した容器に患者氏名や患者ＩＤを直接記載したり、又は、患者氏名や患者ＩＤを記載したラベルを貼り付けている場合には、患者氏名の記載を誤ってしまい、患者の取り違えや血液の取り違え事故が生じる可能性がある。また、血液を採取する前に、予め容器に患者氏名を記載等している場合にも、採取した血液を収容する容器を取り違え、患者又は血液の取り違え事故が生じる可能性がある。更に、記載されている患者氏名等の一部が消え、記載されている文字が読みにくくなる場合もある。
【０００６】
ここで、容器に血液を採取する際には、注射針を装着する注射針装着部を一方の端部に有する筒状の採血ホルダーが使用される。なお注射針装着部には、注射針の両端部がそれぞれ採血ホルダー内外に位置するように、注射針が貫通して装着される。採血の具体的な手順としては、まず注射針を患者の血管に刺した状態で、管内が減圧された容器を採血ホルダー内に挿入する。次に、注射針の採血ホルダー内の端部を容器の開口部を塞ぐ栓に貫通させることにより、容器内に患者の血液が採取される。
【０００７】
採血ホルダーを用いて採血を行う場合、従来は容器に血液を採取し終った後に採血ホルダーの注射針を交換し、採血ホルダーを再使用して別の患者の血液を新たな容器に採取することが行われていた。しかし近年、注射針を交換して採血を行った場合、使用済みの注射針を取り外した際に注射針装着部に前の患者の血液等が付着する可能性があるため、採血ホルダーの汚染を原因とする血液媒介感染が発生する可能性が否定し得ないとの見解が示されている。具体的には、注射針を新たなものと交換して採血ホルダーに容器を挿入し別の患者から採血を行った場合、注射針装着部に付着した前の患者の血液が注射針を介して別の患者の血管内に逆流するようなことが考えられる。
【０００８】
この可能性は極めて低いと考えられるが、血液媒介感染が発生する可能性が完全に否定しきれないことから採血ホルダーの再使用が禁止され、採血ホルダーを使い捨てにすることが義務付けられた。
【０００９】
本発明の目的は、使い捨ての採血ホルダーを用いる場合においても採血を行った患者等を確実に識別できる採血システム、及び該採血システムにおいて採血管外筒に接続されるアダプタを提供することである。
【課題を解決するための手段】
【００１０】
請求項１記載のアダプタは、一端に閉部を有し他端に開口部を有する筒状の採血管挿入部と、前記閉部に装着された注射針とを備える採血管外筒に接続される筒状のアダプタであって、 前記アダプタの筒状の壁部の内側に形成された空間を介して前記採血管挿入部に挿入される採血管に備えられたＩＣタグに対して情報の送受信を行うためのアンテナを前記筒状の壁部に備え、前記筒状の壁部の内壁に前記採血管外筒の前記開口部の周囲または前記開口部近傍に形成されたフランジと係合する係合部を有することを特徴とする。
【００１３】
また、請求項２記載のアダプタは、前記アンテナが前記筒状の壁部に埋め込まれていることを特徴とする。
【００１４】
また、請求項３記載の採血システムは、一端が閉じ他端に開口部を有する筒状の収容部と、前記収容部を減圧した状態で前記開口部を閉じる蓋部と、ＩＣタグとを備える採血管と、一端に閉部を有し他端に開口部を有する筒状の採血管挿入部と、前記閉部に装着された注射針とを備える採血管外筒と、前記ＩＣタグに対して情報の送受信を行うためのアンテナを筒状の壁部に有し、前記筒状の壁部の内壁に前記採血管外筒の前記開口部の周囲または前記開口部近傍に形成されたフランジと係合する係合部を有し、前記採血管外筒に接続されるアダプタと、前記アダプタが接続された前記採血管外筒の前記採血管挿入部に前記アダプタの前記筒状の壁部の内側に形成された空間を介して前記採血管が挿入された際に、前記アダプタの前記筒状の壁部に備えられた前記アンテナから前記採血管に備えられた前記ＩＣタグに対して情報を送信し、前記ＩＣタグに書き込むＩＣタグライタを備え、前記注射針の前記採血管挿入部側の端部を前記採血管の蓋部に貫通させることにより血液を採取することを特徴とする。
【００１７】
また、請求項４記載の採血システムは、バーコードに記録されている情報を読み取るバーコードリーダと、前記アダプタが接続された前記採血管外筒の採血管挿入部に前記アダプタの筒状の壁部の内側に形成された空間を介して前記採血管が挿入された際に、前記バーコードリーダにより読み取られた情報を、前記アダプタの前記筒状の壁部に備えられた前記アンテナを介して前記採血管の収容部内に備えられた前記ＩＣタグに書き込むＩＣタグライタとを備えることを特徴とする。
【００１８】
また、請求項５記載の採血システムは、血液を採取した各機関において用いられている識別情報を、前記血液の検査を依頼された検査機関において用いられる検査機関用識別情報に変換するための変換パターンを記憶する変換パターンテーブルと、前記変換パターンテーブルを参照して、前記バーコードリーダにより読み取られた前記識別情報を前記検査機関用識別情報に変換する識別情報変換手段とを更に備え、前記ＩＣタグライタは、前記識別情報変換手段により変換された前記検査機関用識別情報を前記アダプタの前記筒状の壁部に備えられた前記アンテナを介して前記採血管の収容部内に備えられたＩＣタグに書き込むことを特徴とする。
【００１９】
また、請求項６記載の採血システムは、前記ＩＣタグが、前記収容部に収容される血液の性状に影響を与えることがない素材によりコーティングされていることを特徴とする。
【００２０】
また、請求項７記載の採血システムは、前記素材が、前記収容部を形成する素材と同一の素材であることを特徴とする。
【００２１】
また、請求項８記載の採血システムが、前記アンテナが、前記アダプタの前記筒状の壁部に埋め込まれていることを特徴とする。
【発明の効果】
【００２２】
本発明によれば、使い捨ての採血ホルダーを用いる場合においても採血を行った患者等を確実に識別できる採血システム、及び該採血システムにおいて採血管外筒に接続されるアダプタを提供することができる。
【図面の簡単な説明】
【００２３】
【図１】第１の実施の形態に係る採血管の外観構成を示す図である。
【図２】第１の実施の形態に係るＩＣタグの概略構成を示す図である。
【図３】第１の実施の形態に係る採血管外筒とアダプタの外観構成を示す図である。
【図４】第１の実施の形態に係る採血システムのブロック構成図である。
【図５】第１の実施の形態に係る採血システムによる処理を説明するためのフローチャートである。
【図６】第１の実施の形態に係る採血システムによる採血の状態を示す図である。
【図７】第２の実施の形態に係る採血管外筒とアダプタの外観構成を示す図である。
【図８】第２の実施の形態に係る採血管外筒にアダプタを取付けた状態を示す図である。
【図９】第２の実施の形態に係る採血システムによる採血の状態を示す図である。
【発明を実施するための形態】
【００２４】
以下、図面を参照して、第１の実施の形態に係る採血システムについて説明する。
【００２５】
図１は、第１の実施の形態に係る採血管の一例を示す図である。図１に示すように、採血管２は、一端が閉じ他端に開口部を有する円筒状の収容部４と、収容部４内を減圧した状態で開口部を閉じる蓋部６を備えている。また、収容部４の内部には、採取された血液がどの患者から採取されたものであるかを識別するための情報を記録するＩＣタグ８が収容されている。
【００２６】
図２は、第１の実施の形態に係るＩＣタグの一例を示す図である。図２に示すように、ＩＣタグ８は、ＩＣタグ本体１２を備え、このＩＣタグ本体１２は、採血管２の収容部４を形成する素材と同一の素材からなるシート１０によりコーティングされている。例えば、採血管２の収容部４が、ポリエステルにより形成されている場合には、ポリエステルからなるシート１０によりＩＣタグ本体１２がコーティングされている。また、収容部４がポリエチレンにより形成されている場合にはポリエチレンからなるシート１０により、ポリプロピレンにより形成されている場合にはポリプロピレンからなるシート１０によりＩＣタグ本体１２がコーティングされている。
【００２７】
また、ＩＣタグ本体１２は、メモリを備えたＩＣチップ（図示せず）を備え、このＩＣチップには、ＩＣタグ８に対して送信された情報の受信を行うと共に、メモリに記録されている情報の送信を行うアンテナ（図示せず）が接続されている。なお、ＩＣタグ本体１２には、非接触で情報の読み取り及び書き込みを行うことができるもの、例えば、ＲＦＩＤ（Ｒａｄｉｏ  Ｆｒｅｑｕｅｎｃｙ  Ｉｄｅｎｔｉｆｉｃａｔｉｏｎ）タグ等が用いられる。
【００２８】
図３は、第１の実施の形態に係る採血管外筒、及び採血時に採血管外筒に接続されるアダプタの一例を示す図である。図３に示すように、採血管外筒２０は、一端に閉部を有し他端に開口部を有する円筒状の採血管挿入部２２を備えている。採血管挿入部２２の閉部には、注射針２６が装着された注射針装着部２４が設けられており、採血管外筒２０の開口部側には、複数のねじ山２０ａが採血管外筒２０の外壁に沿って螺旋状に形成されている。
【００２９】
なお、注射針２６は、注射針２６の一方の端部が注射針装着部２４を貫通して、採血管挿入部２２内に位置するように採血管外筒２０に装着される。
【００３０】
アダプタ２７は、筒状の壁部を有しており、筒状の壁部の一方の端部の側の内壁にねじ山２０ａと螺合する複数のラグ２７ａが形成され、筒状の壁部の他方の端部に採血時に指を掛けるための略円環状のフランジ２７ｂが形成されている。
【００３１】
また、アダプタ２７の筒状の壁部の対向する２箇所には、ＩＣタグ８に対して情報の送受信を行うコイル状のアンテナ２８が埋め込まれている。
【００３２】
ここで、アンテナ２８がＩＣタグ８に対して情報の送受信を行うことができる通信可能距離は、一定の範囲に調整されている。即ち、採血管外筒２０にアダプタ２７を接続し、アダプタ２７の筒状の壁部の内側に形成された空間２９を介して採血管挿入部２２に採血管２が挿入された場合に、採血管２の収容部４に収容されているＩＣタグ８に対して情報の送受信を行うことができる程度に通信距離が調整されている。
【００３３】
なお、採血は、採血管外筒２０にアダプタ２７を接続した状態で、採血管外筒２０に装着された注射針２６の採血管外筒の外部側の端部を患者の血管に刺した後、アダプタ２７の筒状の壁部の内側に形成された空間２９を介して採血管挿入部２２に採血管２を挿入することにより行われる。
【００３４】
図４は、第１の実施の形態に係る採血システムのブロック構成図である。図４に示すように、採血システムはタグ書込装置３０とＩＣタグ８に対して情報の送受信を行うアンテナ２８を備えている。なお、アンテナ２８は、アダプタ２７の筒状の壁部に埋め込まれている（図３参照）。
【００３５】
また、図４に示すように、タグ書込装置３０は、このタグ書込装置３０におけるデータの制御を行うデータ制御部３２を備えている。このデータ制御部３２には、バーコードに記録されている情報を読み取るバーコードリーダ３４、バーコードリーダ３４を介して読み取られた情報をＩＣタグ８に書き込むＩＣタグライタ３６が接続されている。また、データ制御部３２には、バーコードリーダ３４を介して読み取られた情報等を記憶するデータ記憶部３８及び患者ＩＤ（識別情報）を、検査センタ用ＩＤ（検査機関用識別情報）に変換するためのＩＤ変換パターンを記憶したＩＤ変換テーブル４０が接続されている。
【００３６】
ＩＤ変換テーブル４０には、各医療機関において用いられている患者ＩＤを検査センタにおいて用いられる検査センタ用ＩＤに変換するためのＩＤ変換パターンが記憶されている。即ち、各医療機関においては、採取された血液を識別するための情報として、それぞれの医療機関において用いられている患者ＩＤを用いている。従って、検査を依頼された血液が複数の医療機関から搬入される検査センタにおいては、搬入された血液を適切に管理するために、医療機関において血液を識別するために用いられている患者ＩＤに代えて検査センタにおいて用いられる検査センタ用ＩＤを付与する必要がある。そのため、患者ＩＤを検査センタ用ＩＤに変換するためのＩＤ変換パターンがＩＤ変換テーブル４０に記憶されている。なお、ＩＤ変換テーブル４０に記憶される変換パターンには、患者ＩＤに医療機関毎に付与されている施設番号及び受付日を付加する変換パターン等が含まれている。
【００３７】
次に、図５のフローチャートを参照して第１の実施の形態に係る採血システムにおける処理について説明する。
【００３８】
まず、図６に示すように、採血管外筒２０の開口部側にアダプタ２７を接続する。ここで、アダプタ２７の接続は、採血管外筒２０の外壁に沿って形成されたねじ山２０ａに、アダプタ２７の筒状の壁部の内壁に形成されたラグ２７ａを螺合させることによって行われる。
【００３９】
次に、採血管外筒２０にアダプタ２７が接続された状態で、採血管外筒２０に装着された注射針２６の外部側の端部を患者の血管に刺す。そして、バーコードに記録されている患者ＩＤを読み取り（ステップＳ１０）、読み取った患者ＩＤをデータ記憶部３８に記憶する（ステップＳ１１）。例えば、採血が行われる患者の手首に、患者を識別するための患者ＩＤを記録したバーコードを付したリストバンドが巻かれている場合には、患者の腕に巻かれているリストバンドに付されたバーコードに記録されている患者ＩＤをバーコードリーダ３４を介して読み取り、データ記憶部３８に記憶する。
【００４０】
次に、患者ＩＤを検査センタ用ＩＤに変換するために、ＩＤ変換テーブル４０に記憶されている変換パターンを参照する（ステップＳ１２）。例えば、医療機関Ａにおいては患者ＩＤとして、Ａ１２３のような４桁のコードを用いており、検査センタ用ＩＤとして、医療機関毎に付与されている施設番号及び血液の受付日を含む１２桁のコードを用いているとする。従って、このような場合には、ＩＤ変換テーブル４０に記憶されている変換パターンの中で、４桁のコードからなる患者ＩＤを１２桁のコードからなる検査センタ用ＩＤに変換する変換パターンを参照する。
【００４１】
次に、ステップＳ１２において参照された変換パターンに基づいて、データ記憶部３８に記憶されている患者ＩＤを検査センタ用ＩＤに変換する（ステップＳ１３）。即ち、参照されたＩＤ変換パターンに基づいて、例えば、医療機関Ａの４桁のコードからなる患者ＩＤに医療機関Ａを表す４桁のコードからなる施設番号及び４桁のコードで表される血液の受付日を付加し、１２桁のコードからなる検査センタ用ＩＤに変換する。
【００４２】
次に、ステップＳ１３において変換された検査センタ用ＩＤを、ＩＣタグライタ３６からアンテナ２８を介して送信する（ステップＳ１４）。即ち、アンテナ２８を介してアダプタ２７の筒状の壁部の内側に形成された空間２９に検査センタ用ＩＤのデータを送信し、アダプタ２７が接続された採血管外筒２０の採血管挿入部２２に採血管２が挿入された際には、採血管２の収容部４に収容されているＩＣタグ８に検査センタ用ＩＤを書き込める状態とする。
【００４３】
次に、アダプタ２７の筒状の壁部の内側に形成された空間２９を介して採血管外筒２０の採血管挿入部２２に採血管２を挿入し、患者から血液を採取する。即ち、採血管外筒２０の採血管挿入部２２に、採血管挿入部２２の内部側の注射針２６の端部が蓋部６を貫通するまで採血管２を挿入する。ここで、採血管２の収容部４は、減圧した状態で蓋部６により開口部が閉じられている。従って、採血管挿入部２２の内部側の注射針２６の端部を蓋部６に貫通させることによって、圧力差により患者から血液が採取される。
【００４４】
また、採血を行うためにアダプタ２７が接続された採血管外筒２０の採血管挿入部２２に採血管２が挿入された場合には、変換された検査センタ用ＩＤが採血管２の収容部４に収容されているＩＣタグ８に書き込まれる（ステップＳ１５）。即ち、アンテナ２８の通信可能距離は、採血管外筒２０にアダプタ２７が接続され、アダプタ２７の筒状の壁部の内側に形成された空間２９を介して採血管挿入部２２に採血管２が挿入された場合に、採血管２の収容部４に収容されているＩＣタグ８に対して情報の送受信を行うことができる程度に調整されている。そのため、採血管挿入部２２に採血管２が挿入された際に、アダプタ２７の筒状の壁部に埋め込まれたアンテナ２８を介してＩＣタグ８に対して検査センタ用ＩＤのデータが送信され、検査センタ用ＩＤが書き込まれる。
【００４５】
採血が終了し、ＩＣタグ８に検査センタ用ＩＤが書き込まれると、採血管外筒２０から採血管２が取り外される。採血管外筒２０は、更にアダプタ２７から取り外されて廃棄される。また、アダプタ２７は、次の患者の採血を行う際に用いられる。
【００４６】
なお、採取された血液は、検査の依頼内容を記載した検査依頼書と共に検査センタに搬送される。検査センタにおいては、搬入された血液とその血液の検査依頼内容を記載した検査依頼書とが存在することを確認した後に、受付処理を行い、その後、検査依頼書に記載されている依頼内容に基づいて血液の検査を行う。
【００４７】
この第１の実施の形態によれば、採血が行われている患者のリストバンド等から読み取られた患者ＩＤを変換した検査センタ用ＩＤが、採血管の収容部に収容されているＩＣタグに書き込まれている。従って、血液を採取された患者を識別するための情報を記録したＩＣタグが、採取された血液と共に採血管の収容部に収容されているため、患者又は採取された血液の取り違え事故等を適切に防止することができる。
【００４８】
また、この第１の実施の形態によれば、複数回の使用が可能なアダプタ２７にアンテナ２８を備え、アダプタ２７に備えられたアンテナ２８とＩＣタグ８との間で情報の送受信を行うため、使い捨ての採血管外筒２０を用いても採血を行った患者等を確実に識別することができる。
【００４９】
また、この第１の実施の形態によれば、採血管の収容部にＩＣタグが収容されているため、検査が行われた後に、採血管からＩＣタグを取り出し、必要な洗浄滅菌を施すことにより、容易にＩＣタグを再利用することができる。
【００５０】
また、この第１の実施の形態によれば、採血管の収容部に収容されているＩＣタグが、採血管の収容部を形成している素材と同一の素材によりコーティングされている。そのため、血液の性状に影響を与えることがなく、従来の検査体制を変更せずに容易にこの実施の形態に係る採血システムを導入することができる。
【００５１】
また、この第１の実施の形態によれば、アダプタの筒状の壁部に埋め込まれているアンテナは、採血管外筒の採血管挿入部に採血管が挿入された際に、採血管の収容部に収容されているＩＣタグに対して情報の送受信が可能となるように通信距離が調整されている。従って、採血管外筒の周辺に用意されている採血管のＩＣタグに対しては、情報の送受信が行われることがない。そのため、採血を行うために採血管外筒の採血管挿入部に挿入された採血管のＩＣタグに対してのみ情報の書き込みを行うことができる。
【００５２】
また、この第１の実施の形態によれば、各医療機関において患者に付されている患者ＩＤを、検査センタ用ＩＤに変換してＩＣタグに書き込んでいる。従って、血液を搬入された検査センタにおいては、ＩＣタグを用いて迅速、かつ、容易に血液の管理を行うことができる。
【００５３】
また、この発明に係る採血システムによれば、採血管外筒の採血管挿入部に採血管を挿入した際に、バーコードリーダにより読み取られた情報が採血管の収容部内に備えられたＩＣタグに書き込まれている。従って、採血を行う際に、採取された血液を識別するための情報を、採取された血液が収容される採血管の収容部内に備えられたＩＣタグに書き込むことができ、患者又は血液の取り違え事故を確実に防止することができる。
【００５４】
また、アダプタの壁部に備えられているアンテナは、採血管外筒の採血管挿入部に採血管が挿入された場合に、採血管の収容部内に備えられているＩＣタグに対して情報の送受信が可能となる。そのため、患者から採取される血液を収容する採血管の収容部内に備えられているＩＣタグにのみ、血液を識別するための情報を書き込むことができる。
【００５５】
また、血液を採取する機関において用いられる識別情報を検査機関において用いられる検査機関識別情報に変換し、採血管の収容部内に備えられているＩＣタグに書き込んでいる。従って、検査機関においては、複数の機関から血液が搬入された場合であっても、統一的な検査機関識別情報に基づいて迅速、かつ、容易に血液の管理を行うことができる。
【００５６】
次に、第２の実施の形態に係る採血システムについて説明する。この第２の実施の形態に係る採血管外筒は、第１の実施の形態のように、外壁に形成されたねじ山を用いてアダプタに接続することに代えて、採血管外筒の端部に設けられたフランジを用いてアダプタに接続できるようにしたものである。従って、第２の実施の形態では、第１の実施の形態と異なる部分について詳細に説明し、重複する部分については適宜説明を省略する。
【００５７】
図７は、第２の実施の形態に係る採血管外筒、及び採血時に採血管外筒に接続されるアダプタの一例を示す図である。図７に示すように、この採血管外筒４２は、一端に閉部を有し、他端に開口部を有する円筒状の採血管挿入部２２を備えている。採血管挿入部２２の閉部には、注射針２６を装着することができる注射針装着部２４が設けられており、開口部側の他端には、採血時に指を掛けるための略円環状のフランジ４２ａが設けられている。また、注射針２６は、一方の端部が注射針装着部２４を貫通して、採血管挿入部２２内に位置するように採血管外筒４２に装着されている。
【００５８】
アダプタ４７は、採血管外筒４２よりも大きな口径を有する筒状の部材である。アダプタ４７の一方の開口部の近傍の筒状の壁部の内壁には、フランジ４２ａと螺合する複数のねじ山４７ａが形成されている。また、アダプタ４７の筒状の壁部の対向する２箇所には、ＩＣタグ８に対して情報の送受信を行うコイル状のアンテナ２８が埋め込まれている。
【００５９】
ここで、アンテナ２８がＩＣタグ８に対して情報の送受信を行うことができる通信可能距離は、一定の範囲に調整されている。即ち、採血管外筒４２にアダプタ４７を接続し、アダプタ４７の筒状の壁部の内側に形成された空間２９を介して採血管挿入部２２に採血管２が挿入された場合に、採血管２の収容部４に収容されているＩＣタグ８に対して情報の送受信を行うことができる程度に通信距離が調整されている。
【００６０】
なお、採血は、採血管外筒４２にアダプタ４７を接続した状態で、採血管外筒４２に装着された注射針２６の採血管外筒の外部側の端部を患者の血管に刺した後、アダプタ４７の筒状の壁部の内側に形成された空間２９を介して採血管挿入部２２に採血管２を挿入することにより行われる。
【００６１】
次に、図５のフローチャートを参照して第２の実施の形態に係る採血システムにおける処理について説明する。
【００６２】
まず、図７に示す採血管外筒４２のフランジ４２ａの位置に、アダプタ４７の内壁に形成されたねじ山４７ａの位置を合わせる。次に、アダプタ４７を筒の中心軸（図示せず）周りに回動させ、図８に示すように、フランジ４２ａにねじ山４７ａを螺合させて採血管外筒４２にアダプタ４７を接続する。
【００６３】
次に、採血管外筒４２にアダプタ４７が接続された状態で、採血管外筒４２に装着された注射針２６の外部側の端部を患者の血管に刺す。そして、バーコードに記録されている患者ＩＤを読み取り（ステップＳ１０）、読み取った患者ＩＤをデータ記憶部３８に記憶する（ステップＳ１１）。
【００６４】
次に、患者ＩＤを検査センタ用ＩＤに変換するために、ＩＤ変換テーブル４０に記憶されている変換パターンを参照し（ステップＳ１２）、参照された変換パターンに基づいて、データ記憶部３８に記憶されている患者ＩＤを検査センタ用ＩＤに変換する（ステップＳ１３）。
【００６５】
次に、ステップＳ１３において変換された検査センタ用ＩＤを、ＩＣタグライタ３６からアンテナ２８を介して送信する（ステップＳ１４）。即ち、アンテナ２８を介してアダプタ４７の筒状の壁部の内側に形成された空間２９に検査センタ用ＩＤのデータを送信し、アダプタ４７が接続された採血管外筒４２の採血管挿入部２２に採血管２が挿入された際には、採血管２の収容部４に収容されているＩＣタグ８に検査センタ用ＩＤを書き込める状態とする。
【００６６】
次に、図８に示すように、フランジ４２ａに取付けられたアダプタ４７の筒状の壁部の内側に形成された空間２９を介して、採血管外筒４２の採血管挿入部２２に採血管２を挿入する。採血管２は、図９に示すように、採血管挿入部２２の内部側の注射針２６の端部が蓋部６を貫通するまで採血管挿入部２２に挿入する。
【００６７】
ここで、採血管２の収容部４は、減圧した状態で蓋部６により開口部が閉じられているため、採血管挿入部２２の内部側の注射針２６の端部を蓋部６に貫通させることによって、圧力差により患者から血液が採取される。
【００６８】
また、採血を行うためにアダプタ４７が接続された採血管外筒４２の採血管挿入部２２に採血管２が挿入された場合には、変換された検査センタ用ＩＤが採血管２の収容部４に収容されているＩＣタグ８に書き込まれる（ステップＳ１５）。即ち、アンテナ２８の通信可能距離は、採血管挿入部２２に採血管２が挿入された場合に、採血管２の収容部４に収容されているＩＣタグ８に対して情報の送受信を行うことができる程度に調整されている。そのため、採血管挿入部２２に採血管２が挿入された際に、アダプタ４７の筒状の壁部に埋め込まれたアンテナ２８を介してＩＣタグ８に対して検査センタ用ＩＤのデータが送信され、検査センタ用ＩＤが書き込まれる。
【００６９】
採血が終了し、ＩＣタグ８に検査センタ用ＩＤが書き込まれると、採血管外筒４２から採血管２が取り外される。採血管外筒４２は、更にアダプタ４７から取り外されて廃棄される。また、アダプタ４７は、次の患者の採血を行う際に用いられる。
【００７０】
なお、採取された血液は、検査の依頼内容を記載した検査依頼書と共に検査センタに搬送される。検査センタにおいては、搬入された血液とその血液の検査依頼内容を記載した検査依頼書とが存在することを確認した後に、受付処理を行い、その後、検査依頼書に記載されている依頼内容に基づいて血液の検査を行う。
【００７１】
この第２の実施の形態によれば、採血が行われている患者のリストバンド等から読み取られた患者ＩＤを変換した検査センタ用ＩＤが、採血管の収容部に収容されているＩＣタグに書き込まれている。従って、血液を採取された患者を識別するための情報を記録したＩＣタグが、採取された血液と共に採血管の収容部に収容されているため、患者又は採取された血液の取り違え事故等を適切に防止することができる。
【００７２】
また、複数回の使用が可能なアダプタ４７にアンテナ２８を備え、アダプタ４７に備えられたアンテナ２８とＩＣタグ８との間で情報の送受信を行うため、市販されている使い捨ての採血管外筒４２を用いた場合においても採血を行った患者等を確実に識別することができる。
【００７３】
なお、上述の各実施の形態に係る採血システムにおいては、バーコードに記録されている患者ＩＤをバーコードリーダを介して読み取り、検査センタ用ＩＤに変換してＩＣタグに書き込んでいるが、その他の情報を更にＩＣタグに書き込むようにしてもよい。例えば、タグ書込装置が通信を制御する通信制御部を更に備え、医療機関内に設置されている医療機関システムから送信される検査の依頼内容を示す検査依頼情報を受信し、受信した検査依頼情報をＩＣタグに書き込むようにしてもよい。この場合には、検査依頼書に記載される内容がＩＣタグに書き込まれているため、血液と検査依頼書とを一体として検査センタに搬送することができる。
【００７４】
また、上述の各実施の形態に係る採血管システムにおいては、患者のリストバンド等から読み取られた患者ＩＤを変換した検査センタ用ＩＤをＩＣタグに書き込んでいるが、血液の検査内容が記載された検査依頼書のＩＤをＩＣタグに書き込むようにしてもよい。例えば、検査依頼書に、検査依頼書を識別するための検査依頼書ＩＤを記録したバーコードが付されている場合には、バーコードリーダを介して検査依頼書に付されたバーコードに記録されている検査依頼書ＩＤを読み取り、ＩＣタグに書き込むようにしてもよい。
【００７５】
また、上述の各実施の形態においては、採血管のＩＣタグを採血管を形成する素材と同一の素材でコーティングしているが、同一の素材に限らず、採血管に収容される血液の性状に影響を与えない素材、例えば、ＰＥＴ（ｐｏｌｙｅｔｈｙｌｅｎｅ  ｔｅｒｅｐｈｔｈａｌａｔｅ）等によりＩＣタグをコーティングするようにしてもよい。
【００７６】
また、上述の第１の実施の形態において、必ずしもねじ山２０ａとラグ２７ａを螺合させて採血管外筒２０とアダプタ２７を接続する必要はない。例えば、採血管外筒２０の外壁に溝を形成し、溝にラグ２７ａを係合させて採血管外筒２０とアダプタ２７を接続してもよい。
【００７７】
また、上述の第２の実施の形態において、フランジ４２ａにねじ山４７ａを螺合させて採血管外筒４２にアダプタ４７を接続せず、他の方法を用いて採血管外筒４２にアダプタ４７を接続してもよい。
【００７８】
また、上述の第２の実施の形態においては、採血管外筒４２の開口部の周囲にフランジ４２ａが形成されている場合を例に説明しているが、フランジ４２ａは開口部の近傍に形成されていてもよい。
【００７９】
また、上述の各実施の形態においては、アダプタの筒状の壁部にアンテナ２８が埋め込まれているが、アンテナ２８は、壁部に貼り付けるなど他の方法でアダプタに備えられていてもよい。
【００８０】
また、上述の各実施の形態において、ＩＣタグ８を収容部４の壁部に貼り付けてもよく、必ずしも収容部４の内部にＩＣタグ８を収容する必要はない。
【符号の説明】
【００８１】
２…採血管、４…収容部、６…蓋部、８…ＩＣタグ、１０…シート、１２…ＩＣタグ本体、２０…採血管外筒、２０ａ…ねじ山、２２…採血管挿入部、２４…注射針装着部、２６…注射針、２７…アダプタ、２７ｂ…ラグ、２８…アンテナ、３０…タグ書込装置、３２…データ制御部、３４…バーコードリーダ、３６…ＩＣタグライタ、３８…データ記憶部、４０…ＩＤ変換テーブル、４２…採血管外筒、４２ａ…フランジ、４７…アダプタ、４７ａ…ラグ
【図１】
0006534549.tif 000002
【図２】
0006534549.tif 000003
【図３】
0006534549.tif 000004
【図４】
0006534549.tif 000005
【図５】
0006534549.tif 000006
【図６】
0006534549.tif 000007
【図７】
0006534549.tif 000008
【図８】
0006534549.tif 000009
【図９】
0006534549.tif 000010